(57)【特許請求の範囲】
【請求項１】
検索結果を提供する方法であって、
ユーザによって入力された検索用語に従って、前記検索用語に対応する複数の検索結果を含む少なくとも１枚の検索結果カードを取得するステップであって、各検索結果カードは、第１の面及び第２の面を備え、前記第１の面及び前記第２の面は逆に配置され、前記第１の面及び／又は前記第２の面は検索結果を記録するステップと、
前記少なくとも１枚の検索結果カードの前記第１の面に前記複数の検索結果を前記ユーザに表示するステップと、
前記ユーザが第１の検索結果カードを裏返す必要があることを特定するステップであって、前記第１の検索結果カードは、前記少なくとも１枚の検索結果カードから前記ユーザによって選択された検索結果カードであり、前記第１の検索結果カードに表示された前記複数の検索結果のうちの１の検索結果を前記ユーザに選択させるステップと、
前記第１の検索結果カードを裏返すステップであって、それにより、前記第１の検索結果カードの前記第２の面に、前記選択された１の検索結果に関連する情報を前記ユーザに表示するステップと、
を含み、
前記ユーザが前記第１の検索結果カードを裏返す必要があることを特定することが、
前記ユーザによってクリックされた領域が、前記第１の検索結果カードの第１の面の検索結果表示部分内および前記第２の面の検索結果表示部分内に予め設定されたホットスポット領域に位置するとき、前記ユーザが前記第１の検索結果カードを裏返す必要があると特定することを含むことを特徴とする、方法。
【請求項２】
前記ユーザが前記第１の検索結果カードを裏返す必要があることを再び特定するステップと、
前記第１の検索結果カードを再び裏返すステップであって、それにより、前記第１の検索結果カードの前記第１の面を前記ユーザに再び表示するステップと、
を更に含むことを特徴とする、請求項１に記載の方法。
【請求項３】
前記第１の検索結果カードにおいて、前記第１の面の予め設定されるホットスポット領域が、前記第２の面の予め設定されるホットスポット領域と同じであるか、又は異なることを特徴とする、請求項１に記載の方法。
【請求項４】
前記ユーザによって入力された保存コマンドを受信するステップであって、前記保存コマンドは第２の検索結果カードの保存に使用され、前記第２の検索結果カードは、前記少なくとも１枚の検索結果カードから前記ユーザによって選択され、前記第２の検索結果カードは、前記第１の検索結果カードと同じであるか、又は異なるステップと、
前記ユーザのモバイル端末に、ピクチャの形態で前記第２の検索結果カードを保存するステップと、
を更に含むことを特徴とする、請求項１又は２に記載の方法。
【請求項５】
前記第１の検索結果カードを裏返すことが、
前記第１の検索結果カードの左右方向での中心軸を回転軸として、前記第１の検索結果カードを左右に裏返すこと、又は
前記第１の検索結果カードの上下方向での中心軸を回転軸として、前記第１の検索結果カードを上下に裏返すこと
を含むことを特徴とする、請求項１又は２に記載の方法。
【請求項６】
前記第１の検索結果カードが、リンク情報を更に記憶し、前記リンク情報が、前記第１の検索結果カードの第１の面内および前記第２の面内に予め設定された、前記ホットスポット領域以外の非ホットスポット領域に配置され、前記方法が、
前記ユーザが前記リンク情報をクリックしたとき、前記リンク情報によって示されるページにジャンプすることを更に含むことを特徴とする、請求項１又は２に記載の方法。
【請求項７】
前記リンク情報が、前記第１の検索結果カードの前記第１の面及び／又は前記第２の面の非ホットスポット領域に記録されることを特徴とする、請求項６に記載の方法。
【請求項８】
前記ユーザによって閲覧される前記少なくとも１枚の検索結果カードの前記第１の面の内容と、前記ユーザによって閲覧される前記少なくとも１枚の検索結果カードの前記第２の面の内容とを監視することを更に含むことを特徴とする、請求項２に記載の方法。
【請求項９】
前記各検索結果カードが、
逆に配置される第１の面及び第２の面を備えるように設定される各検索結果カードを設定し、前記第１の面及び前記第２の面が両方とも裏返し属性を有するように、前記第１の面及び前記第２の面についての裏返し情報を設定し、同時に裏返すように前記第１の面及び前記第２の面を設定する手段
によって取得されることを特徴とする、請求項１又は２に記載の方法。
【請求項１０】
前記裏返し情報が、裏返し角度を含み、前記第１の面及び前記第２の面の裏返し角度は両方とも、第１の方向及び第２の方向が逆になるように１８０度に設定されるか、又は前記第１の面及び前記第２の面の前記裏返し角度は両方とも、前記第１の方向及び前記第２の方向が同じであるように３６０度に設定され、前記第１の方向は、前記第１の面から前記第２の面に裏返す裏返し方向であり、前記第２の方向は、前記第２の面から前記第１の面に裏返す裏返し方向であることを特徴とする、請求項９に記載の方法。
【請求項１１】
前記裏返し情報が裏返し速度を含み、第１の速度及び第２の速度が同じ又は異なる速度として設定され、前記第１の速度が、前記第１の面から前記第２の面に裏返す裏返し速度であり、前記第２の速度が、前記第２の面から前記第１の面に裏返す裏返し速度であることを特徴とする、請求項１０に記載の方法。
【請求項１２】
検索結果を提供する装置であって、
ユーザによって入力された検索用語に従って、前記検索用語に対応する複数の検索結果を含む少なくとも１枚の検索結果カードを取得する取得モジュールであって、各検索結果カードは、第１の面及び第２の面を備え、前記第１の面及び前記第２の面は逆に配置され、前記第１の面及び／又は前記第２の面は検索結果を記録する、取得モジュールと、
前記少なくとも１枚の検索結果カードの前記第１の面に前記複数の検索結果を前記ユーザに表示する表示モジュールと、
前記ユーザが第１の検索結果カードを裏返す必要があることを特定する特定モジュールであって、前記第１の検索結果カードは、前記少なくとも１枚の検索結果カードから前記ユーザによって選択された検索結果カードであり、前記第１の検索結果カードに表示された前記複数の検索結果のうちの１の検索結果を前記ユーザに選択させる、特定モジュールと、
前記第１の検索結果カードを裏返して、前記第１の検索結果カードの前記第２の面に、前記選択された１の検索結果に関連する情報を前記ユーザに表示する裏返しモジュールと、
を備え、前記特定モジュールが特に、
前記ユーザによってクリックされた領域が、前記第１の検索結果カードの第１の面の検索結果表示部分内および前記第２の面の検索結果表示部分内に予め設定されたホットスポット領域に位置するとき、前記ユーザが前記第１の検索結果カードを裏返す必要があると特定するのに使用されることを特徴とする、装置。
【請求項１３】
前記特定モジュールが、前記ユーザが前記第１の検索結果カードを裏返す必要があることを再び特定するのに更に使用され、
前記裏返しモジュールが、前記第１の検索結果カードを再び裏返して、前記第１の検索結果カードの前記第１の面を前記ユーザに再び表示するのに更に使用される
ことを特徴とする、請求項１２に記載の装置。
【請求項１４】
前記第１の検索結果カードにおいて、前記第１の面の予め設定されるホットスポット領域が、前記第２の面の予め設定されるホットスポット領域と同じであるか、又は異なることを特徴とする、請求項１３に記載の装置。
【請求項１５】
前記ユーザによって入力された保存コマンドを受信する受信モジュールであって、前記保存コマンドは第２の検索結果カードの保存に使用され、前記第２の検索結果カードは、前記少なくとも１枚の検索結果カードから前記ユーザによって選択され、前記第２の検索結果カードは、前記第１の検索結果カードと同じであるか、又は異なる、受信モジュールと、
前記ユーザのモバイル端末に、ピクチャの形態で前記第２の検索結果カードを保存する保存モジュールと、
を更に備えることを特徴とする、請求項１２又は１３に記載の装置。
【請求項１６】
前記裏返しモジュールは特に
前記第１の検索結果カードの左右方向での中心軸を回転軸として、前記第１の検索結果カードを左右に裏返すこと、又は前記第１の検索結果カードの上下方向での中心軸を回転軸として、前記第１の検索結果カードを上下に裏返すことに使用されることを特徴とする、請求項１２又は１３に記載の装置。
【請求項１７】
前記第１の検索結果カードが、リンク情報を更に記憶し、前記リンク情報が、前記第１の検索結果カードの第１の面内および前記第２の面内に予め設定された、前記ホットスポット領域以外の非ホットスポット領域に配置され、前記装置が、
前記ユーザが前記リンク情報をクリックしたとき、前記リンク情報によって示されるページにジャンプするジャンプモジュール
を更に備えることを特徴とする、請求項１２又は１３に記載の装置。
【請求項１８】
前記リンク情報が、前記第１の検索結果カードの前記第１の面及び／又は前記第２の面の非ホットスポット領域に記録されることを特徴とする、請求項１７に記載の装置。
【請求項１９】
前記ユーザによって閲覧される前記少なくとも１枚の検索結果カードの前記第１の面の内容と、前記ユーザによって閲覧される前記少なくとも１枚の検索結果カードの前記第２の面の内容とを監視する監視モジュールを更に備えることを特徴とする、請求項１２に記載の装置。
【請求項２０】
前記各検索結果カードが、逆に配置される第１の面及び第２の面を備えるように設定される各検索結果カードを設定し、前記第１の面及び前記第２の面が両方とも裏返し属性を有するように、前記第１の面及び前記第２の面についての裏返し情報を設定し、同時に裏返るように前記第１の面及び前記第２の面を設定する手段によって取得されることを特徴とする、請求項１２又は１３に記載の装置。
【請求項２１】
前記裏返し情報が、裏返し角度を含み、前記第１の面及び前記第２の面の前記裏返し角度は両方とも、第１の方向及び第２の方向が逆になるように１８０度に設定されるか、又は前記第１の面及び前記第２の面の前記裏返し角度は両方とも、前記第１の方向及び前記第２の方向が同じであるように３６０度に設定され、前記第１の方向は、前記第１の面から前記第２の面に裏返す裏返し方向であり、前記第２の方向は、前記第２の面から前記第１の面に裏返す裏返し方向であることを特徴とする、請求項２０に記載の装置。
【請求項２２】
前記裏返し情報が裏返し速度を含み、第１の速度及び第２の速度が同じ又は異なる速度として設定され、前記第１の速度が、前記第１の面から前記第２の面に裏返す裏返し速度であり、前記第２の速度が、前記第２の面から前記第１の面に裏返す裏返し速度であることを特徴とする、請求項２０に記載の装置。
【発明の詳細な説明】
【技術分野】
【０００１】
本発明は、ネットワーク通信の技術分野に関し、特に、検索結果を提供する方法及び装置に関する。
【背景技術】
【０００２】
インテリジェント端末の出現に伴い、ユーザは、携帯電話等のインテリジェント端末を使用して、検索を達成し得る。関連技術では、ユーザが携帯電話を使用して検索用語を入力した後、検索結果はカードの形態でユーザに表示される。ユーザは、対応するカードをクリックすることによって検索結果を見ることができる。検索結果カードの容量制限により、ウェブリンクを検索結果カードに追加し得、ユーザは、ウェブリンクをクリックすることにより、より多くの情報が記録され得る別のページを表示し得る。例えば、商業主は、商業主のホームページを検索結果カードにリンクし得、ユーザは、検索結果カード上のリンクをクリックすることにより、商業主のホームページを表示して、商人についてのより多くの情報を取得し得る。
【０００３】
しかし、この方法では、ユーザは、より多くの情報を取得するために、ウェブリンクをクリックして、別のページにジャンプする必要がある。
【発明の概要】
【発明が解決しようとする課題】
【０００４】
本発明は、関連分野での技術的問題のうちの１つを少なくともある程度解決することを目的とする。
【０００５】
このために、本発明の一目的は、検索結果を提供する方法を提案することである。本方法は、検索結果カードをよりよく利用し得、ウェブページジャンプを必要とせずに検索結果カードからより多くの情報を取得し得、それにより、リソース利用効率を改善する。
【０００６】
本発明の別の目的は、検索結果を提供する装置を提案することである。
【課題を解決するための手段】
【０００７】
上記目的を達成するために、本発明の第１の態様からの一実施形態は、検索結果を提供する方法を提案し、この方法は、ユーザによって入力された検索用語に従って、検索用語に対応する少なくとも１枚の検索結果カードを取得するステップであって、各検索結果カードは、第１の面及び第２の面を備え、第１の面及び第２の面は逆に配置され、第１の面及び／又は第２の面は検索結果を記録するステップと、少なくとも１枚の検索結果カードの第１の面をユーザに表示するステップと、ユーザが第１の検索結果カードを裏返す必要があることを特定するステップであって、第１の検索結果カードは、少なくとも１枚の検索結果カードからユーザによって選択された検索結果カードであるステップと、第１の検索結果カードを裏返すステップであって、それにより、第１の検索結果カードの第２の面をユーザに表示するステップとを含む。
【０００８】
検索結果カードの両面に情報を記録することにより、ユーザは、検索結果カードを裏返すことにより、片面表示よりも多くの情報を取得し得、したがって、本発明の第１の態様の実施形態において提案される、検索結果を提供する方法は、リソース利用率を提供し、ユーザエクスペリエンスを改善し得る。
【０００９】
上記目的を達成するために、本発明の第２の態様の一実施形態は、検索結果を提供する装置を提案し、この装置は、ユーザによって入力された検索用語に従って、検索用語に対応する少なくとも１枚の検索結果カードを取得する取得モジュールであって、各検索結果カードは、第１の面及び第２の面を備え、第１の面及び第２の面は逆に配置され、第１の面及び／又は第２の面は検索結果を記録する、取得モジュールと、少なくとも１枚の検索結果カードの第１の面をユーザに表示する表示モジュールと、ユーザが第１の検索結果カードを裏返す必要があることを特定する特定モジュールであって、第１の検索結果カードは、少なくとも１枚の検索結果カードからユーザによって選択された検索結果カードである、特定モジュールと、第１の検索結果カードを裏返して、第１の検索結果カードの第２の面をユーザに表示する裏返しモジュールとを備える。
【００１０】
検索結果カードの両面に情報を記録することにより、ユーザは、検索結果カードを裏返すことにより、片面表示よりも多くの情報を取得し得、したがって、本発明の第２の態様の実施形態において提案される、検索結果を提供する装置は、リソース利用率を提供し、ユーザエクスペリエンスを改善し得る。
【００１１】
上記目的を達成するために、本発明の第３の態様の一実施形態は、モバイル端末を提案し、このモバイル端末は、筐体と、プロセッサと、メモリと、回路基板と、電源回路とを備え、回路基板は、筐体により囲まれるスペース内部に搭載され、プロセッサ及びメモリは回路基板に配置され、電源回路は、電力をモバイル端末の様々な回路又は素子に供給するのに使用され、メモリは、実行可能プログラムコードの記憶に使用され、プロセッサは、メモリに記憶される実行可能プログラムコードを読み出すことにより、実行可能プログラムコードに対応するプログラムを動作させて、以下のステップを実行する：ユーザによって入力された検索用語に従って、検索用語に対応する少なくとも１枚の検索結果カードを取得するステップであって、各検索結果カードは、第１の面及び第２の面を備え、第１の面及び第２の面は逆に配置され、第１の面及び／又は第２の面は検索結果を記録する、取得するステップ、少なくとも１枚の検索結果カードの第１の面をユーザに表示するステップ、ユーザが第１の検索結果カードを裏返す必要があることを特定するステップであって、第１の検索結果カードは、少なくとも１枚の検索結果カードからユーザによって選択された検索結果カードである、特定するステップ、及び第１の検索結果カードを裏返ステップであって、それにより、第１の検索結果カードの第２の面をユーザに表示する、裏返すステップ。
【００１２】
検索結果カードの両面に情報を記録することにより、ユーザは、検索結果カードを裏返すことにより、片面表示よりも多くの情報を取得し得、したがって、本発明の第３の態様の実施形態において提案されるモバイル端末は、リソース利用率を提供し、ユーザエクスペリエンスを改善し得る。
【００１３】
本発明の追加の態様及び利点によっては、以下の説明で与えられるものもあれば、以下の説明から明らかになるものもあれば、本発明の実施から学習することができるものもある。
【００１４】
本発明の上記及び／又は追加の態様及び利点は、添付図面と併せて以下の実施形態の説明から明らかになり、容易に理解されるだろう。
【図面の簡単な説明】
【００１５】
【図１】本発明の一実施形態により提案される検索結果を提供する方法の概略フローチャート
【図２】本発明の別の実施形態により提案される検索内容を提供する方法の概略フローチャート
【図３】本発明の実施形態において、検索結果カードが第１の面を表示している状態を示す概略図
【図４】本発明の実施形態において、裏返す検索結果カードを選択する様子を示す概略図
【図５】本発明の実施形態において、検索結果カードが中間状態に裏返されている状態を示す概略図
【図６】本発明の実施形態において、検索結果カードを第２の面に裏返した状態を示す概略図
【図７】本発明の実施形態において、検索結果カードが第２の面から裏返され始めた状態を示す概略図
【図８】本発明の実施形態において、検索結果カードが第２の面から第１の面に再び裏返されるときを示す概略図
【図９】本発明の別の実施形態により提案される検索結果を提供する方法の概略フローチャート
【図１０】本発明の別の実施形態により提案される検索結果を提供する方法の概略フローチャート
【図１１】本発明の別の実施形態により提案される検索結果を提供する装置の構造概略図
【図１２】本発明の別の実施形態により提案される検索結果を提供する装置の構造概略図
【図１３】本発明の別の実施形態により提案される検索結果を提供する装置の構造概略図
【図１４】本発明の別の実施形態により提案される検索結果を提供する装置の構造概略図
【発明を実施するための形態】
【００１６】
本発明の実施形態についてこれより詳細に説明し、実施形態の例を添付図面に示し、図面中、全体を通して、同じ又は同様の参照符号は同じ若しくは同様の要素、又は同じ若しくは同様の機能を有する要素を表す。添付図面を参照して以下に説明される実施形態は、例示であり、本発明への限定として理解されるのではなく、むしろ、単に本発明の説明に使用されるものである。逆に、本発明の実施形態は、添付の特許請求の範囲の趣旨及び原理の範囲内に入る全ての変更、変形、及び均等物を包含する。
【００１７】
図１は、本発明の一実施形態により提案される検索結果を提供する方法の概略フローチャートであり、この方法は以下を含む：
Ｓ１１：モバイル端末は、ユーザによって入力された検索用語に従って、検索用語に対応する少なくとも１枚の検索結果カードを取得し、各検索結果カードは、第１の面及び第２の面を備え、第１の面及び第２の面は逆に配置され、第１の面及び／又は第２の面は検索結果を記録する。
【００１８】
モバイル端末は、携帯電話又はタブレットコンピュータ等を指し得る。
【００１９】
モバイル端末は、サーバから対応する検索結果を取得し、それをユーザに表示し得る。
【００２０】
例えば、「生花」を検索する場合、モバイル端末は、「生花」を含む検索結果カードをユーザに表示する。
【００２１】
関連分野では、各検索結果は、モバイル端末にカードの形態で片面表示され、ユーザは、より多くの内容を見る必要があるときには、クリックして、選択された検索結果カードを入力し得る。
【００２２】
この実施形態では、各検索結果カードは２面を含み、２面は両方とも、情報の記録に使用し得、それぞれ、異なるときにユーザに表示し得る。
【００２３】
特定の実装形態中、カスケーディングスタイルシート（ＣＳＳ３）技法を採用し得る。第１の面及び第２の面にそれぞれ対応する２つのモジュールが配置され、２つのモジュールは、逆に配置されるように設定され、裏返し属性を有するように設定される。裏返し属性は、実際に存在する裏返し方向に従って対応する角度を設定し得る。左右裏返しを例とすると、第１の面から第２の面に逆時計回りに裏返し、一方、第２の面から再び第１の面には時計回りに裏返す場合、裏返し角度は１８０度に設定し得、第１の面から第２の面に逆時計回りに裏返し、第２の面から再び第１の面にも逆時計回りに裏返す場合、裏返し角度は３６０度に設定し得る。すなわち、各検索結果カードは以下の手段によって取得し得る：
逆に配置される第１の面及び第２の面を備えるように設定される各検索結果カードを設定し、第１の面及び第２の面が両方とも裏返し属性を有するように、第１の面及び第２の面についての裏返し情報を設定し、同時に裏返るように第１の面及び第２の面を設定する手段。
【００２４】
一実施形態では、裏返し情報は裏返し角度を含み、第１の面及び第２の面の裏返し角度は両方とも、第１の方向及び第２の方向が逆になるように１８０度に設定されるか、又は第１の面及び第２の面の裏返し角度は両方とも、第１の方向及び第２の方向が同じであるように３６０度に設定され、第１の方向は、第１の面から第２の面に裏返す裏返し方向であり、第２の方向は、第２の面から第１の面に裏返す裏返し方向である。
【００２５】
別の実施形態では、裏返し情報は裏返し速度を含み、第１の速度及び第２の速度が同じ又は異なる速度として設定され、第１の速度は、第１の面から第２の面に裏返す裏返し速度であり、第２の速度は、第２の面から第１の面に裏返す裏返し速度である。
【００２６】
Ｓ１２：モバイル端末は、少なくとも１枚の検索結果カードの第１の面をユーザに表示する。
【００２７】
検索結果カードの取得後、その面のうちの一方を、ユーザが見るためにユーザに表示し得る。
【００２８】
Ｓ１３：モバイル端末は、ユーザが第１の検索結果カードを裏返す必要があることを特定し、第１の検索結果カードは、少なくとも１枚の検索結果カードからユーザによって選択された検索結果カードである。
【００２９】
関連分野では、ユーザは、特定の検索結果カードについてのより多くの情報を見たい場合、検索結果カード内のリンクをクリックして、別のページを表示させ得る。
【００３０】
しかし、この実施形態では、ユーザが特定の検索結果カードを見ているとき、見る必要がある検索結果カードが第１の検索結果カードと呼ばれると仮定し、したがって、第１の検索結果カードについてのより多くの情報を学ぶ必要がある場合、第１の検索結果カードの裏返しをトリガし得、それにより、第１の検索結果カードの裏面からの情報がユーザに提供される。
【００３１】
任意選択的に、ホットスポット領域は、各検索結果カードの各面に存在し得、ユーザがホットスポット領域をクリックすると、それは対応する検索結果カードを裏返す必要があることを示す。
【００３２】
Ｓ１４：モバイル端末は、第１の検索結果カードを裏返して、第１の検索結果カードの第２の面をユーザに表示する。
【００３３】
ユーザが第１の検索結果カードを裏返す必要があることが特定された後、裏返し動作を第１の検索結果カードに対して実行し得る。
【００３４】
裏返し中に利用される回転軸は、左右方向での中心軸又は上下方向での中心軸であり得る。
【００３５】
更に、任意選択的に、非ホットスポット領域にリンク情報を記録することもでき、ユーザがリンク情報をクリックすると、カードが裏返されるのではなく、リンク情報によって示されるページにジャンプし、リンク情報によって示されるページでより多くの情報を取得し得る。
【００３６】
任意選択的に、リンク情報は、第１の検索結果カードの第１の面及び／又は第２の面上の非ホットスポット領域に記録される。
【００３７】
検索結果カードの両面に情報を記録することにより、ユーザは、検索結果カードを裏返すことにより、片面表示よりも多くの情報を取得し得、したがって、この実施形態は、リソース利用率を提供し、ユーザエクスペリエンスを改善し得る。
【００３８】
図２は、本発明の別の実施形態により提案される検索内容を提供する方法の概略フローチャートであり、この方法は以下を含む：
Ｓ２１：モバイル端末は、ユーザによって入力された検索用語に従って、検索用語に対応する少なくとも１枚の検索結果カードを取得し、各検索結果カードは、第１の面及び第２の面を備え、第１の面及び第２の面は逆に配置され、第１の面及び／又は第２の面は検索結果を記録する。
【００３９】
例えば、「生花」を検索する場合、モバイル端末は、「生花」を含む検索結果カードをユーザに表示する。
【００４０】
関連分野では、各検索結果カードは、モバイル端末にカードの形態で片面表示され、ユーザは、より多くの内容を見る必要があるときには、クリックして、選択された検索結果カードを入力し得る。
【００４１】
この実施形態では、各検索結果カードは２面を含み、２面は両方とも、情報の記録に使用し得、それぞれ、異なるときにユーザに表示し得る。
【００４２】
Ｓ２２：モバイル端末は、少なくとも１枚の検索結果カードの第１の面をユーザに表示する。
【００４３】
例えば、図３を参照すると、「生花」を検索する場合、複数の検索結果カードが取得されることになり、表示中、検索結果カードの片面が表示される。
【００４４】
Ｓ２３：ユーザが、第１の検索結果カードの第１の面内の予め設定されるホットスポット領域をクリックした後、第１の検索結果カードは裏返されて、第１の検索結果カードの第２の面をユーザに表示し、第１の検索結果カードは、取得された複数の検索結果カードからユーザによって選択された検索結果カードである。
【００４５】
図４を参照すると、ユーザによって選択された第１の検索結果カードが、表示された第１の検索結果カードである事例を例とすると、ユーザが第１の検索結果カードのホットスポット領域をクリックすると、第１の検索結果カードの裏返しがトリガされ得る。
【００４６】
裏返し中、図４、図５、及び図６を参照して、「クリック後、カードの前面から裏返し中間状態に、そして裏面に立体的に提示する」など、一連の視覚的にコヒーレントな動的効果のために、第１の面−中間状態−第２の面を順次に提示し得る。
【００４７】
添付図面では、検索結果が広告である事例が例としてとられることに留意されたく、広告に関して、３つの内容を１つの検索結果カード上に結合し得、したがって、裏返し中、これらの３つの内容が一緒に裏返されることを理解することができる。他の検索結果に関しては、例えば、１つのみの内容が１つの検索結果カードに含まれ、その場合、裏返し中、その１つの内容が裏返されることになる。
【００４８】
Ｓ２４：ユーザが、第１の検索結果カードの第２の面の予め設定されたホットスポット領域をクリックした後、第１の検索結果カードは裏返されて、第１の検索結果カードの第１の面が再びユーザに表示される。
【００４９】
例えば、図７及び図８を参照すると、第１の検索結果カードは再び、第２の面から裏返されて、第１の面を表示する。
【００５０】
この実施形態では、検索結果カードを裏返すことにより、検索結果カードの２面を両方とも利用し得る。例えば、広告の検索結果カードに関して、広告タイトル説明を検索結果カードの一面に記録し得、広告主のランディングページを裏面に記録し得る。代替的には、広告の追加の新しい概念、例えばマップが、検索結果カードの一面に記録され、インスタント百度マップ製品が裏面に記録される。
【００５１】
この実施形態では、検索結果カードを裏返すことにより、情報が検索結果カードの２面の両方に記録される。したがって、リソース利用率を改善し得、ジャンプなしで、閲覧を通してより多くの内容を取得し得、ユーザ、検索サービスプロバイダ（百度等）、及び検索コンテンツプロバイダ（広告主等）の間の距離を縮め得る。カード裏面の利用は、ユーザの解約率を大幅に低減することになり、したがって、実際に、ユーザの感覚は、一連の経験が全体を通して検索結果カードで完了するというものであり、様々なランディングページにジャンプすることなく、又は他のページにジャンプすることなく、それにより、全体のユーザエクスペリエンス一貫性を改善する。
【００５２】
図９は、本発明の別の実施形態により提案される検索結果を提供する方法の概略フローチャートであり、この方法は以下を含む：
Ｓ９１：モバイル端末は、ユーザによって入力された検索用語に従って、検索用語に対応する少なくとも１枚の検索結果カードを取得する。
Ｓ９２：モバイル端末は、少なくとも１枚の検索結果カードの第１の面をユーザに表示する。
【００５３】
Ｓ９１及びＳ９２についてＳ１１及びＳ１２を参照することができ、ここで再び詳細に説明しない。
【００５４】
Ｓ９３：モバイル端末は、第１の面でユーザによって閲覧される内容を監視する。
【００５５】
モバイル端末は、バックグラウンドでユーザ挙動を監視し、ユーザ挙動を後続処理のデータ基盤としてとり得る。例えば、どの広告がユーザによって閲覧されるかが、バックグランドで監視され、解析データが広告主に提供され、したがって、広告主は、これらのデータに従って広告配信を最適化し得る。
【００５６】
Ｓ９４：ユーザが検索結果カードを裏返す必要がある場合、モバイル端末は、検索結果カードを裏返し、検索結果カードの第２の面をユーザに表示する。
【００５７】
裏返しの特定の実装形態については上記実施形態を参照し得、詳細をここで再び説明しない。
【００５８】
Ｓ９５：モバイル端末は、ユーザによって選択された検索結果カード及び第２の面で閲覧される内容を監視する。
【００５９】
同様に、ユーザ挙動を監視することにより、強力なサポートを後続処理に提供し得る。
【００６０】
情報を検索結果カードの第１の面及び第２の面に記録することにより、この実施形態は、ユーザ閲覧挙動を検索結果カードに再び反映し得、ユーザ挙動をより好都合に監視し得、それにより、監視を介して強力なサポートを後続処理に提供する。
【００６１】
図１０は、本発明の別の実施形態により提案される検索結果を提供する方法の概略フローチャートであり、この方法は、以下を含む：
Ｓ１０１：モバイル端末は、ユーザによって入力された検索用語に従って、検索用語に対応する少なくとも１枚の検索結果カードを取得し、各検索結果カードは、第１の面及び第２の面を備え、第１の面及び第２の面は逆に配置され、第１の面及び／又は第２の面は検索結果を記録する。
【００６２】
Ｓ１０２：モバイル端末は、少なくとも１枚の検索結果カードの第１の面をユーザに表示する。
【００６３】
Ｓ１０１及びＳ１０２についてＳ１１及びＳ１２を参照することができ、ここで再び詳細に説明しない。
【００６４】
Ｓ１０３：モバイル端末は、ユーザの選択に従って１枚の検索結果カードを裏返し、検索結果カードの第２の面をユーザに表示する。
【００６５】
Ｓ１０４：モバイル端末は、ユーザによって送信された保存命令を受信し、ピクチャの形態で、ユーザによって選択された保存すべき検索結果カードを保存する。
【００６６】
例えば、検索結果カードの第１の面及び第２の面を閲覧した後、検索結果カードを保存する必要がある場合、ユーザは予め設定される保存ボタンをクリックし、すなわち、保存命令をモバイル端末に送信し、モバイル端末は、保存命令を受信した後、検索結果カードを保存し得る。
【００６７】
上記実施形態に基づいて、この実施形態は保存動作を更に実施して、後続使用中に対応する情報を見つけるに当たりユーザにとって役立つ。更に、両面検索結果カードを導入することにより、広告主を「人」としてみなすことができ、カードは広告主の名刺である。カードの正面には、広告主についての様々な簡潔な情報があり、裏面には、広告主の「住所」及び「連絡先番号」があり、この「名刺」は、ユーザの携帯電話に保存することさえも可能であり、これらは全て、ユーザの使用に役立ち、ユーザエクスペリエンスを改善する。
【００６８】
図１１は、本発明の別の実施形態により提案される検索結果を提供する装置の構造概略図である。装置１１０は、取得モジュール１１１、表示モジュール１１２、特定モジュール１１３、及び裏返しモジュール１１４を備える。
【００６９】
取得モジュール１１１は、ユーザによって入力された検索用語に従って、検索用語に対応する少なくとも１枚の検索結果カードを取得するためのものであり、各検索結果カードは、第１の面及び第２の面を備え、第１の面及び第２の面は逆に配置され、第１の面及び／又は第２の面は検索結果を記録し、
装置は、特にモバイル端末であり得、モバイル端末は携帯電話又はタブレットコンピュータ等を指し得る。
【００７０】
装置は、サーバから対応する検索結果を取得し、それをユーザに表示し得る。
【００７１】
例えば、「生花」を検索する場合、モバイル端末は、「生花」を含む検索結果カードをユーザに表示する。
【００７２】
関連分野では、各検索結果は、モバイル端末にカードの形態で片面表示され、ユーザは、より多くの内容を見る必要があるときには、クリックして、選択された検索結果カードを入力し得る。
【００７３】
この実施形態では、各検索結果カードは２面を含み、２面は両方とも、情報の記録に使用し得、それぞれ、異なるときにユーザに表示し得る。
【００７４】
特定の実装形態中、カスケーディングスタイルシート（ＣＳＳ３）技法を採用し得る。第１の面及び第２の面にそれぞれ対応する２つのモジュールが配置され、２つのモジュールは、逆に配置されるように設定され、裏返し属性を有するように設定される。裏返し属性は、実際に存在する裏返し方向に従って対応する角度を設定し得る。左右裏返しを例とすると、第１の面から第２の面に逆時計回りに裏返し、一方、第２の面から再び第１の面には時計回りに裏返す場合、裏返し角度は１８０度に設定し得、第１の面から第２の面に逆時計回りに裏返し、第２の面から再び第１の面にも逆時計回りに裏返す場合、裏返し角度は３６０度に設定し得る。すなわち、各検索結果カードは以下の手段によって取得し得る：
逆に配置される第１の面及び第２の面を備えるように設定される各検索結果カードを設定し、第１の面及び第２の面が両方とも裏返し属性を有するように、第１の面及び第２の面についての裏返し情報を設定し、同時に裏返るように第１の面及び第２の面を設定する手段。
【００７５】
一実施形態では、裏返し情報は裏返し角度を含み、第１の面及び第２の面の裏返し角度は両方とも、第１の方向及び第２の方向が逆になるように１８０度に設定されるか、又は第１の面及び第２の面の裏返し角度は両方とも、第１の方向及び第２の方向が同じであるように３６０度に設定され、第１の方向は、第１の面から第２の面に裏返す裏返し方向であり、第２の方向は、第２の面から第１の面に裏返す裏返し方向である。
【００７６】
別の実施形態では、裏返し情報は裏返し速度を含み、第１の速度及び第２の速度が同じ又は異なる速度として設定され、第１の速度は、第１の面から第２の面に裏返す裏返し速度であり、第２の速度は、第２の面から第１の面に裏返す裏返し速度である。
【００７７】
表示モジュール１１２は、少なくとも１枚の検索結果カードの第１の面をユーザに表示するのに使用され、
検索結果カードの取得後、カードの両面のうちの一方を、ユーザ閲覧のためにユーザに表示し得る。
【００７８】
例えば、図３を参照すると、「生花」を検索する場合、複数の検索結果カードが取得され、表示中、検索結果カードの片面が表示される。
【００７９】
特定モジュール１１３は、ユーザが第１の検索結果カードを裏返す必要があることを特定するためのものであり、第１の検索結果カードは、少なくとも１枚の検索結果カードからユーザによって選択された検索結果カードであり、
関連分野では、ユーザは、特定の検索結果カードについてより多くの情報を閲覧したい場合、検索結果カード内のリンクをクリックして、別のページを表示し得る。
【００８０】
しかし、この実施形態では、ユーザが特定の検索結果カードを見ているとき、見る必要がある検索結果カードが第１の検索結果カードと呼ばれると仮定し、したがって、第１の検索結果カードについてのより多くの情報を学ぶ必要がある場合、第１の検索結果カードの裏返しをトリガし得、それにより、第１の検索結果カードの裏面からの情報がユーザに提供される。
【００８１】
図４を参照して、ユーザによって選択された第１の検索結果カードが、表示された第１の検索結果カードである事例を例とすると、ユーザが第１の検索結果カードのホットスポット領域をクリックすると、第１の検索結果カードの裏返しをトリガし得る。
【００８２】
裏返し中、図４、図５、及び図６を参照して、「クリック後、カードの前面から裏返し中間状態に、そして裏面に立体的に提示する」など、一連の視覚的にコヒーレントな動的効果のために、第１の面−中間状態−第２の面を順次に提示し得る。
【００８３】
添付図面では、検索結果が広告である事例が例としてとられることに留意されたく、広告に関して、３つの内容を１つの検索結果カード上に結合し得、したがって、裏返し中、これらの３つの内容が一緒に裏返されることを理解することができる。他の検索結果に関しては、例えば、１つのみの内容が１つの検索結果カードに含まれ、その場合、裏返し中、その１つの内容が裏返されることになる。
【００８４】
裏返しモジュール１１４は、第１の検索結果カードを裏返して、第１の検索結果カードの第２の面をユーザに表示するのに使用され、
ユーザが第１の検索結果カードを裏返す必要があることが特定された後、裏返し動作を第１の検索結果カードに対して実行し得る。
【００８５】
一実施形態では、特定モジュール１１３は、ユーザが第１の検索結果カードを裏返す必要があると再び特定するのに更に使用され、
裏返しモジュール１１４は、第１の検索結果カードを再び裏返して、第１の検索結果カードの第１の面を再びユーザに表示するのに更に使用される。
【００８６】
例えば、図７及び図８を参照すると、第１の検索結果カードは、第２の面から再び裏返されて、第１の面を表示する。
【００８７】
一実施形態では、特定モジュール１１３は特に、
ユーザがクリックした領域が予め設定されるホットスポット領域に位置する場合、ユーザが第１の検索結果カードを裏返す必要があることを特定する
のに使用される。
【００８８】
一実施形態では、第１の検索結果カードにおいて、第１の面の予め設定されるホットスポット領域は、第２の面の予め設定されるホットスポット領域と同じであるか、又は異なる。
【００８９】
一実施形態では、裏返しモジュール１１４は特に、
左右方向での第１の検索結果カードの中心軸を回転軸として、第１の検索結果カードを左右に裏返すか、又は
上下方向での第１の検索結果カードの中心軸を回転軸として、第１の検索結果カードを上下に裏返す
のに使用される。
【００９０】
この実施形態では、検索結果カードを裏返すことにより、検索結果カードの２面を両方とも利用し得る。例えば、広告の検索結果カードに関して、広告タイトル説明を検索結果カードの一面に記録し得、広告主のランディングページを裏面に記録し得る。代替的には、広告の追加の新しい概念、例えばマップが、検索結果カードの一面に記録され、インスタント百度マップ製品が裏面に記録される。
【００９１】
この実施形態では、検索結果カードを裏返すことにより、情報が検索結果カードの２面の両方に記録される。したがって、リソース利用率を改善し得、ジャンプなしで、閲覧を通してより多くの内容を取得し得、ユーザ、検索サービスプロバイダ（百度等）、及び検索コンテンツプロバイダ（広告主等）の間の距離を縮め得る。カード裏面の利用は、ユーザの解約率を大幅に低減することになり、したがって、実際に、ユーザの感覚は、一連の経験が全体を通して検索結果カードで完了するというものであり、様々なランディングページにジャンプすることなく、又は他のページにジャンプすることなく、それにより、全体のユーザエクスペリエンス一貫性を改善する。
【００９２】
図１２は、本発明の別の実施形態により提案される検索結果を提供する装置の構造概略図である。図１１に示される実施形態に基づいて、この装置は監視モジュール１１５を更に備える。
【００９３】
監視モジュール１１５は、ユーザによって閲覧される少なくとも１枚の検索結果カードの第１の面の内容と、ユーザによって閲覧される少なくとも１枚の検索結果カードの第２の面の内容とを監視するのに使用され、
モバイル端末は、バックグラウンドでユーザ挙動を監視し、ユーザ挙動を後続処理のデータ基盤としてとり得る。例えば、どの広告がユーザによって閲覧されるかが、バックグランドで監視され、解析データが広告主に提供され、したがって、広告主は、これらのデータに従って広告配信を最適化し得る。
【００９４】
情報を検索結果カードの第１の面及び第２の面に記録することにより、この実施形態は、ユーザ閲覧挙動を検索結果カードに再び反映し得、ユーザ挙動をより好都合に監視し得、それにより、監視を介して強力なサポートを後続処理に提供する。
【００９５】
図１３は、本発明の別の実施形態により提案される検索結果を提供する装置の構造概略図である。図１１に示される実施形態に基づいて、この装置は受信モジュール１１６及び保存モジュール１１７を更に備える。
【００９６】
受信モジュール１１６は、ユーザによって入力される保存コマンドを受信するのに使用され、保存コマンドは、第２の検索結果カードの保存に使用され、第２の検索結果カードは、少なくとも１枚の検索結果カードからユーザによって選択され、第２の検索結果カードは、第１の検索結果カードと同じであるか、又は異なり、保存モジュール１１７は、ユーザのモバイル端末にピクチャの形態で第２の検索結果カードを保存するのに使用される。
【００９７】
例えば、検索結果カードの第１の面及び第２の面を閲覧した後、検索結果カードを保存する必要がある場合、ユーザは予め設定される保存ボタンをクリックし、すなわち、保存命令をモバイル端末に送信し、モバイル端末は、保存命令を受信した後、検索結果カードを保存し得る。
【００９８】
上記実施形態に基づいて、この実施形態は保存動作を更に実施して、後続使用中に対応する情報を見つけるに当たりユーザにとって役立つ。更に、両面検索結果カードを導入することにより、広告主を「人」としてみなすことができ、カードは広告主の名刺である。カードの正面には、広告主についての様々な簡潔な情報があり、裏面には、広告主の「住所」及び「連絡先番号」があり、この「名刺」は、ユーザの携帯電話に保存することさえも可能であり、これらは全て、ユーザの使用に役立ち、ユーザエクスペリエンスを改善する。
【００９９】
図１４は、本発明の別の実施形態により提案される検索結果を提供する装置の構造概略図である。図１１に示される実施形態に基づいて、この装置はジャンプモジュール１１８を更に備える。この実施形態では、第１の検索結果カードはリンク情報を更に記録し、リンク情報は非ホットスポット領域に配置され、ジャンプモジュール１１８は、ユーザがリンク情報をクリックしたとき、リンク情報によって示されるページにジャンプするのに使用される。
【０１００】
リンク情報は、第１の検索結果カードの第１の面及び／又は第２の面の非ホットスポット領域に記録される。
【０１０１】
上記実施形態に基づいて、この実施形態は、ジャンプを更に実行し得、より多くの情報を取得し得る。
【０１０２】
本発明の一実施形態はモバイル端末を更に提供し、このモバイル端末は、筐体と、プロセッサと、メモリと、回路基板と、電源回路とを備え、回路基板は、筐体により囲まれるスペース内部に搭載され、プロセッサ及びメモリは回路基板に配置され、電源回路は、電力をモバイル端末の様々な回路又は素子に供給するのに使用され、メモリは、実行可能プログラムコードの記憶に使用され、プロセッサは、メモリに記憶される実行可能プログラムコードを読み出すことにより、実行可能プログラムコードに対応するプログラムを動作させて、以下のステップを実行する。
Ｓ１１’：モバイル端末は、ユーザによって入力された検索用語に従って、検索用語に対応する少なくとも１枚の検索結果カードを取得し、各検索結果カードは、第１の面及び第２の面を備え、第１の面及び第２の面は逆に配置され、第１の面及び／又は第２の面は検索結果を記録する。
【０１０３】
モバイル端末は携帯電話又はタブレットコンピュータ等を指し得る。
【０１０４】
モバイル端末は、サーバから対応する検索結果を取得し、ユーザに表示し得る。
【０１０５】
例えば、「生花」を検索する場合、モバイル端末は、「生花」を含む検索結果カードをユーザに表示する。
【０１０６】
関連分野では、各検索結果は、モバイル端末にカードの形態で片面表示され、ユーザは、より多くの内容を見る必要があるときには、クリックして、選択された検索結果カードを入力し得る。
【０１０７】
この実施形態では、各検索結果カードは２面を含み、２面は両方とも、情報の記録に使用し得、それぞれ、異なるときにユーザに表示し得る。
【０１０８】
特定の実装形態中、カスケーディングスタイルシート（ＣＳＳ３）技法を採用し得る。第１の面及び第２の面にそれぞれ対応する２つのモジュールが配置され、２つのモジュールは、逆に配置されるように設定され、裏返し属性を有するように設定される。裏返し属性は、実際に存在する裏返し方向に従って対応する角度を設定し得る。左右裏返しを例とすると、第１の面から第２の面に逆時計回りに裏返し、一方、第２の面から再び第１の面には時計回りに裏返す場合、裏返し角度は１８０度に設定し得、第１の面から第２の面に逆時計回りに裏返し、第２の面から再び第１の面にも逆時計回りに裏返す場合、裏返し角度は３６０度に設定し得る。すなわち、各検索結果カードは以下の手段によって取得し得る：
逆に配置される第１の面及び第２の面を備えるように設定される各検索結果カードを設定し、第１の面及び第２の面が両方とも裏返し属性を有するように、第１の面及び第２の面についての裏返し情報を設定し、同時に裏返るように第１の面及び第２の面を設定する手段。
【０１０９】
一実施形態では、裏返し情報は裏返し角度を含み、第１の面及び第２の面の裏返し角度は両方とも、第１の方向及び第２の方向が逆になるように１８０度に設定されるか、又は第１の面及び第２の面の裏返し角度は両方とも、第１の方向及び第２の方向が同じであるように３６０度に設定され、第１の方向は、第１の面から第２の面に裏返す裏返し方向であり、第２の方向は、第２の面から第１の面に裏返す裏返し方向である。
【０１１０】
別の実施形態では、裏返し情報は裏返し速度を含み、第１の速度及び第２の速度が同じ又は異なる速度として設定され、第１の速度は、第１の面から第２の面に裏返す裏返し速度であり、第２の速度は、第２の面から第１の面に裏返す裏返し速度である。
【０１１１】
Ｓ１２’：モバイル端末は、少なくとも１枚の検索結果カードの第１の面をユーザに表示する。
【０１１２】
検索結果カードの取得後、カードの両面のうちの一方を、ユーザ閲覧のためにユーザに表示し得る。
【０１１３】
Ｓ１３’：ユーザが第１の検索結果カードを裏返す必要があることをモバイル端末が特定し、第１の検索結果カードは、少なくとも１枚の検索結果カードからユーザによって選択される検索結果カードである。
【０１１４】
関連分野では、ユーザは、特定の検索結果カードについてのより多くの情報を見たい場合、検索結果カード内のリンクをクリックして、別のページを表示させ得る。
【０１１５】
しかし、この実施形態では、ユーザが特定の検索結果カードを見ているとき、見る必要がある検索結果カードが第１の検索結果カードと呼ばれると仮定し、したがって、第１の検索結果カードについてのより多くの情報を学習する必要がある場合、第１の検索結果カードの裏返しをトリガし得、それにより、第１の検索結果カードの裏面からの情報がユーザに提供される。
【０１１６】
任意選択的に、ホットスポット領域は、各検索結果カードの各面に存在し得、ユーザがホットスポット領域をクリックすると、それは対応する検索結果カードを裏返す必要があることを示す。
【０１１７】
Ｓ１４’：モバイル端末は、第１の検索結果カードを裏返して、第１の検索結果カードの第２の面をユーザに表示する。
【０１１８】
ユーザが第１の検索結果カードを裏返す必要があることが特定された後、裏返し動作を第１の検索結果カードに対して実行し得る。
【０１１９】
裏返し中に利用される回転軸は、左右方向での中心軸又は上下方向での中心軸であり得る。
【０１２０】
更に、任意選択的に、リンク情報を非ホットスポット領域に記録することもでき、ユーザがリンク情報をクリックすると、カードを裏返すのではなく、リンク情報によって示されるページにジャンプして、リンク情報によって示されるページにおいてより多くの情報を取得し得る。
【０１２１】
任意選択的に、リンク情報は、第１の検索結果カードの第１の面及び／又は第２の面の非ホットスポット領域に記録される。
【０１２２】
検索結果カードの両面に情報を記録することにより、ユーザは、検索結果カードを裏返すことにより、片面表示よりも多くの情報を取得し得、したがって、この実施形態は、リソース利用率を提供し、ユーザエクスペリエンスを改善し得る。
【０１２３】
別の実施形態では、プロセッサは、メモリに記憶される実行可能プログラムコードを読み出すことにより、実行可能プログラムコードに対応するプログラムを動作させて、以下のステップを実行する。
【０１２４】
Ｓ２１’：モバイル端末は、ユーザによって入力された検索用語に従って、検索用語に対応する少なくとも１枚の検索結果カードを取得し、各検索結果カードは、第１の面及び第２の面を備え、第１の面及び第２の面は逆に配置され、第１の面及び／又は第２の面は検索結果を記録する。
【０１２５】
例えば、「生花」を検索する場合、端末は、「生花」を含む検索結果カードをユーザに表示する。
【０１２６】
関連分野では、各検索結果カードは、モバイル端末にカードの形態で片面表示され、ユーザは、より多くの内容を見る必要があるときには、クリックして、選択された検索結果カードを入力し得る。
【０１２７】
この実施形態では、各検索結果カードは２面を含み、２面は両方とも、情報の記録に使用し得、それぞれ、異なるときにユーザに表示し得る。
【０１２８】
Ｓ２２’：モバイル端末は、少なくとも１枚の検索結果カードの第１の面をユーザに表示する。
【０１２９】
例えば、図３を参照すると、「生花」を検索する場合、複数の検索結果カードが取得されることになり、表示中、検索結果カードの片面が表示される。
【０１３０】
Ｓ２３’：ユーザが、第１の検索結果カードの第１の面内の予め設定されるホットスポット領域をクリックした後、第１の検索結果カードは裏返されて、第１の検索結果カードの第２の面をユーザに表示し、第１の検索結果カードは、取得された複数の検索結果カードからユーザによって選択された検索結果カードである。
【０１３１】
図４を参照すると、ユーザによって選択された第１の検索結果カードが、表示された第１の検索結果カードである事例を例とすると、ユーザが第１の検索結果カードのホットスポット領域をクリックすると、第１の検索結果カードの裏返しがトリガされ得る。
【０１３２】
裏返し中、図４、図５、及び図６を参照して、「クリック後、カードの前面から裏返し中間状態に、そして裏面に立体的に提示する」など、一連の視覚的にコヒーレントな動的効果のために、第１の面−中間状態−第２の面を順次に提示し得る。
【０１３３】
添付図面では、検索結果が広告である事例が例としてとられることに留意されたく、広告に関して、３つの内容が１つの検索結果カードに含まれてもよく、したがって、裏返し中、これらの３つの内容が一緒に裏返されることを理解することができる。他の検索結果に関しては、例えば、１つのみの内容が１つの検索結果カードに含まれ、その場合、裏返し中、その１つの内容が裏返されることになる。
【０１３４】
Ｓ２４’：ユーザが、第１の検索結果カードの第２の面の予め設定されたホットスポット領域をクリックした後、第１の検索結果カードは裏返されて、第１の検索結果カードの第１の面が再びユーザに表示される。
【０１３５】
例えば、図７及び図８を参照すると、第１の検索結果カードは再び、第２の面から裏返されて、第１の面を表示する。
【０１３６】
この実施形態では、検索結果カードを裏返すことにより、検索結果カードの２面を両方とも利用し得る。例えば、広告の検索結果カードに関して、広告タイトル説明を検索結果カードの一面に記録し得、広告主のランディングページを裏面に記録し得る。代替的には、広告の追加の新しい概念、例えばマップが、検索結果カードの一面に記録され、インスタント百度マップ製品が裏面に記録される。
【０１３７】
この実施形態では、検索結果カードを裏返すことにより、情報が検索結果カードの２面の両方に記録される。したがって、リソース利用率を改善し得、ジャンプなしで、閲覧を通してより多くの内容を取得し得、ユーザ、検索サービスプロバイダ（百度等）、及び検索コンテンツプロバイダ（広告主等）の間の距離を縮め得る。カード裏面の利用は、ユーザの解約率を大幅に低減することになり、したがって、実際に、ユーザの感覚は、一連の経験が全体を通して検索結果カードで完了するというものであり、様々なランディングページにジャンプすることなく、又は他のページにジャンプすることなく、それにより、全体のユーザエクスペリエンス一貫性を改善する。
【０１３８】
別の実施形態では、プロセッサは、メモリに記憶される実行可能プログラムコードを読み出すことにより、実行可能プログラムコードに対応するプログラムを動作させて、以下のステップを実行する：
Ｓ９１’：モバイル端末は、ユーザによって入力された検索用語に従って、検索用語に対応する少なくとも１枚の検索結果カードを取得するステップ。
Ｓ９２’：モバイル端末は、少なくとも１枚の検索結果カードの第１の面をユーザに表示する。
【０１３９】
Ｓ９１’及びＳ９２’についてＳ１１’及びＳ１２’を参照することができ、ここで再び詳細に説明しない。
【０１４０】
Ｓ９３’：モバイル端末は、第１の面でユーザによって閲覧される内容を監視する。
【０１４１】
モバイル端末は、バックグラウンドでユーザ挙動を監視し、ユーザ挙動を後続処理のデータ基盤としてとり得る。例えば、どの広告がユーザによって閲覧されるかが、バックグランドで監視され、解析データが広告主に提供され、したがって、広告主は、これらのデータに従って広告配信を最適化し得る。
【０１４２】
Ｓ９４’：ユーザが検索結果カードを裏返す必要がある場合、モバイル端末は、検索結果カードを裏返し、検索結果カードの第２の面をユーザに表示する。
【０１４３】
裏返しの特定の実装形態については上記実施形態を参照し得、詳細をここで再び説明しない。
【０１４４】
Ｓ９５’：モバイル端末は、ユーザによって選択された検索結果カード及び第２の面で閲覧される内容を監視する。
【０１４５】
同様に、ユーザ挙動を監視することにより、強力なサポートを後続処理に提供し得る。
【０１４６】
情報を検索結果カードの第１の面及び第２の面に記録することにより、この実施形態は、ユーザ閲覧挙動を検索結果カードに再び反映し得、ユーザ挙動をより好都合に監視し得、それにより、監視を介して強力なサポートを後続処理に提供する。
【０１４７】
別の実施形態では、プロセッサは、メモリに記憶される実行可能プログラムコードを読み出すことにより、実行可能プログラムコードに対応するプログラムを動作させて、以下のステップを実行する。
Ｓ１０１’：モバイル端末は、ユーザによって入力された検索用語に従って、検索用語に対応する少なくとも１枚の検索結果カードを取得し、各検索結果カードは、第１の面及び第２の面を備え、第１の面及び第２の面は逆に配置され、第１の面及び／又は第２の面は検索結果を記録する。
Ｓ１０２’：モバイル端末は、少なくとも１枚の検索結果カードの第１の面をユーザに表示する。
【０１４８】
Ｓ１０１’及びＳ１０２’についてＳ１１及びＳ１２を参照することができ、ここで再び詳細に説明しない。
【０１４９】
Ｓ１０３’：モバイル端末は、ユーザの選択に従って１つの検索結果カードを裏返し、検索結果カードの第２の面をユーザに表示する。
【０１５０】
Ｓ１０４’：モバイル端末は、ユーザによって送信された保存命令を受信し、ピクチャの形態で、ユーザによって選択された保存すべき検索結果カードを保存する。
【０１５１】
例えば、検索結果カードの第１の面及び第２の面を閲覧した後、検索結果カードを保存する必要がある場合、ユーザは予め設定される保存ボタンをクリックし、すなわち、保存命令をモバイル端末に送信し、モバイル端末は、保存命令を受信した後、検索結果カードを保存し得る。
【０１５２】
上記実施形態に基づいて、この実施形態は保存動作を更に実施して、後続使用中に対応する情報を見つけるに当たりユーザにとって役立つ。更に、両面検索結果カードを導入することにより、広告主を「人」としてみなすことができ、カードは広告主の名刺である。カードの正面には、広告主についての様々な簡潔な情報があり、裏面には、広告主の「住所」及び「連絡先番号」があり、この「名刺」は、ユーザの携帯電話に保存することさえも可能であり、これらは全て、ユーザの使用に役立ち、ユーザエクスペリエンスを改善する。
【０１５３】
本発明の説明では、「第１」及び「第２」という用語が、相対的な重要性を示すか、又は暗示すると理解されるものではなく、単に説明を目的とすることに留意されたい。更に、本発明の説明では、別段のことが指定される場合を除き、「複数の」の意味は２つ又は３つ以上である。
【０１５４】
フローチャート又は本明細書において他の様式で説明される任意のプロセス又は方法の説明は、特定の論理機能若しくはプロセスステップの実装に使用される実行可能命令の１つ若しくは複数のコードを含む、モジュール、セグメント又はセクションを表すものと理解し得、本発明の好ましい実施形態の範囲は更なる実装形態を含み、機能は、基本的に同期して、又は関わる機能による逆順を含め、示されるか、又は考察される順序に従わずに実行し得、これは、本発明の実施形態が属する分野の当業者に理解されるはずである。
【０１５５】
ハードウェア、ソフトウェア、ファームウェア、又はそれらの組み合わせで本発明の様々な部分を実装し得ることを理解されたい。上記実施形態では、複数のステップ又は方法は、メモリに記憶され、適切な命令実行システムによって実行されるソフトウェア又はファームウェアによって実装し得る。例えば、別の実施形態と同様に、ハードウェアによって実装される場合、当技術分野で一般に知られている以下の技法の任意の１つ又は組み合わせによって実装することができる：データ信号に対して論理関数を実施するのに使用される論理ゲート回路を有する離散論理回路、適切な組み合わせの論理ゲート回路を有する特定用途向け集積回路、プログラマブルゲートアレイ（ＰＧＡ）、フィールドプログラマブルゲートアレイ（ＦＰＧＡ）等。
【０１５６】
プログラムを用いて関連ハードウェアに命令することにより、上記実施形態の方法で実行されるステップの全て又は幾つかの実装形態を達成し得ることを当業者は理解するだろう。プログラムは、コンピュータ可読記憶媒体に記憶し得、プログラムは、実行されると、方法実施形態でのステップの１つ又はその組み合わせを含む。
【０１５７】
更に、本発明の様々な実施形態での様々な機能ユニットは、処理モジュールに統合してもよく、各ユニットが物理的に単独で存在してもよく、又は２つ若しくは３つ以上のユニットをモジュールに統合してもよい。上記統合モジュールは、ハードウェアの形態で実装し得、ソフトウェア機能モジュールの形態で実装することもできる。ソフトウェア機能モジュールの形態で実装され、独立した製品として販売又は使用される場合、統合モジュールは、コンピュータ可読記憶媒体に記憶することもできる。上記記憶媒体は、読み取り専用メモリ、磁気ディスク、又は光ディスク等であり得る。
【０１５８】
本明細書の説明では、「一実施形態」、「幾つかの実施形態」、「例」、「特定の例」、又は「幾つかの例」等の参照用語への説明は、その実施形態又は例と関連して説明される特定の特徴、構造、材料、又は特性が、本発明の少なくとも１つの実施形態又は例に包含されることを意味することを意図される。本説明では、上記用語の例示的表現は必ずしも、同じ実施形態又は例を指すわけではない。更に、説明される特定の特徴、構造、材料、又は特性は、任意の１つ又は複数の実施形態又は例で適宜組み合わせ得る。
【０１５９】
本発明の説明では、「中央」、「縦」、「横」、「長さ」、「幅」、「厚さ」、「上」、「下」、「前」、「後ろ」、「左」、「右」、「垂直」、「水平」、「上部」、「底部」、「内部」、「外部」、「時計回り」、「逆時計回り」、「軸方向」、「半径方向」、「周方向」等の用語で示される向き又は位置関係が、添付図面に基づいて示される向き又は位置関係であり、参照される装置又は要素が特定の向きを有さなければならず、特定の向きで構築され動作しなければならないことを示すか、又は暗示するのではなく、単に、本発明の説明を容易にし、説明を簡略化することを目的とし、したがって、本発明への限定として理解されるべきではないことを理解されたい。
【０１６０】
本発明では、明示的に規定され、他の様式で定義される場合を除き、「設置」、「接続される」、「接続」、「固定」、等の用語は、広義で理解されるべきであり、例えば、固定接続であってもよく、切断可能な接続であってもよく、又は１つに統合してもよく、機械的な接続であってもよく、電気的な接続であってもよく、直接接続であってもよく、又は中間媒体を介した間接的な接続であってもよく、２つの要素の内部接続であってもよく、２つの要素の相互作用関係であってもよい。当業者の場合、特定の状況に従って本発明での上記用語の特定意味を理解し得る。
【０１６１】
本発明では、明示的に規定され、他の様式で定義される場合を除き、第２の特徴の「上」又は「下」にある第１の特徴は、第１の特徴が第２の特徴に直接接触するか、又は第１及び第２の特徴が、中間媒体を介して間接的に接触することを意味し得る。更に、第２の特徴の「上」、「上方」、及び「上側」にある第１の特徴は、第１の特徴が第２の特徴の真上にあるか、若しくは第２の特徴の斜め上方にあることを意味し得、又は単に、第１の特徴が第２の特徴の水平高さよりも高い水平高さを有することを表し得る。第２の特徴の「下方」、「下」、及び「下側」にある第１の特徴は、第１の特徴が第２の特徴の真下にあるか、若しくは第２の特徴の斜め下方にあることを意味し得、又は単に、第１の特徴が第２の特徴の水平高さよりも低い水平高さを有することを表し得る。
【０１６２】
本発明の実施形態を上に示し説明したが、上記実施形態が例示であり、本発明への限定として理解されるべきではないことを理解されたい。当業者は、本発明の範囲内で上記実施形態に変更、改変、置換、及び変形を行い得る。
【符号の説明】
【０１６３】
１１０  装置
１１１  取得モジュール
１１２  表示モジュール
１１３  特定モジュール
１１４  裏返しモジュール
１１５  監視モジュール
１１６  受信モジュール
１１７  保存モジュール
１１８  ジャンプモジュール
【図１】
0006615456.tif 000002
【図２】
0006615456.tif 000003
【図３】
0006615456.tif 000004
【図４】
0006615456.tif 000005
【図５】
0006615456.tif 000006
【図６】
0006615456.tif 000007
【図７】
0006615456.tif 000008
【図８】
0006615456.tif 000009
【図９】
0006615456.tif 000010
【図１０】
0006615456.tif 000011
【図１１】
0006615456.tif 000012
【図１２】
0006615456.tif 000013
【図１３】
0006615456.tif 000014
【図１４】
0006615456.tif 000015